(57)【特許請求の範囲】
【請求項１】
２枚の矩形状の冊子基材の間に複数の冊子片を重ねて端部で綴じる送付物であって、
前記冊子基材の一方の対向する両端部に綴じ部を備えるとともに、２枚の前記冊子基材には他方の対向する両端部に跨る分離線がそれぞれ対向して設けられ、
前記綴じ部のうち、一方の綴じ部側の前記冊子基材の一方の端部から前記分離線までの長さより短い冊子片が複数枚重ねられ、前記冊子基材の一方の端部で揃えて綴じた冊子が設けられると共に、前記綴じ部のうち、他方の綴じ部側の前記冊子基材の他方の端部から前記分離線までの長さより短い冊子片が複数枚重ねられ、前記冊子基材の他方の端部で揃えて綴じた冊子が設けられており、前記分離線が前記冊子基材のいずれかの端部側に寄せた位置に形成され、幅広となった側には綴じ部より前記分離線側に前記綴じ部に沿って前記２枚の冊子基材および複数枚の前記冊子片を貫通するミシン目線が設けられていることを特徴とする送付物。
【発明の詳細な説明】
【技術分野】
【０００１】
本発明は、商品カタログ、パンフレット等を冊子の状態でメール便、宅配便あるいは郵送等をすることができ、受け取った顧客が容易に開封できる送付物に関する。詳しくは、中央の分離線で開封し、２つに冊子に分離できる送付物に関する。
【背景技術】
【０００２】
従来、商品又は役務の内容を記載したカタログ、パンフレット等は、冊子にして種々の分野で広く利用されている。例えば、特定の顧客向けサービスとして、デパートなどが行うギフト商品の紹介、旅行会社が行う旅行案内、あるいは、商店街が行うキャンペーン等にダイレクトメール等として冊子を送付することが知られている。冊子の送り手（販売者）にとって、多くの情報を受け手（顧客）に一度に提供することができ、顧客側への宣伝効果の高い手段となっている。このような冊子として、同じ大きさの一対の矩形状表紙片と、該矩形状表紙片と一方向が同寸で他方向が小寸に形成された複数枚の矩形状冊子紙片とからなり、一対の矩形状表紙片の間に複数枚の矩形状冊子紙片を同寸な一方向で揃え、小寸な他方向の一方の端をそれぞれの一方の端辺で揃えて綴じ合わせると共に、一方の端辺と対向する位置にある一対の矩形状表紙片の他方の端辺を封着した冊子入り封書が知られている（例えば、特許文献１参照）。
【０００３】
上記冊子入り封書は、図４に示すように、冊子入り封書１’が顧客に届けられると顧客は、封着された封着部５０を切り取り、綴じ部４０を綴じ元として各頁を見開き状態にして冊子を閲覧することができる。しかし、切り取られた封着部５０は、指で摘んで容易に切り取れるように幅広に設けられており、しかも、封着部５０には有効な情報が掲載されない部分となっており、ゴミとして捨てられているのが実情である。
【先行技術文献】
【特許文献】
【０００４】
【特許文献１】特開２００１−３０１３６８号公報
【発明の概要】
【発明が解決しようとする課題】
【０００５】
そこで本発明者は従来、ゴミとなっている封着部を有効に活用できないか研究した結果、封着部のない冊子の新しい形態を見出し本発明の完成に至ったものである。すなわち、本発明の目的は、受け手にとって開封が容易で、開封の際、ゴミとして捨てる部分がない送付物を提供することにある。
【課題を解決するための手段】
【０００６】
本発明は、上記課題を達成するためになされたものであり、請求項１記載の送付物は、２枚の矩形状の冊子基材の間に複数の冊子片を重ねて端部で綴じる送付物であって、前記冊子基材の一方の対向する両端部に綴じ部を備えるとともに、２枚の前記冊子基材には他方の対向する両端部に跨る分離線がそれぞれ対向して設けられ、前記綴じ部のうち、一方の綴じ部側の前記冊子基材の一方の端部から前記分離線までの長さより短い冊子片が複数枚重ねられ、前記冊子基材の一方の端部で揃えて綴じた冊子が設けられると共に、前記綴じ部のうち、他方の綴じ部側の前記冊子基材の他方の端部から前記分離線までの長さより短い冊子片が複数枚重ねられ、前記冊子基材の他方の端部で揃えて綴じた冊子が設けられており、前記分離線が前記冊子基材のいずれかの端部側に寄せた位置に形成され、幅広となった側には綴じ部より前記分離線側に前記綴じ部に沿って前記２枚の冊子基材および複数枚の前記冊子片を貫通するミシン目線が設けられていることを特徴とするものである。
【発明の効果】
【０００８】
本発明の送付物は、２枚の矩形状の冊子基材の間に複数の冊子片を重ねて端部で綴じる送付物であって、前記冊子基材の一方の対向する両端部に綴じ部を備えるとともに、２枚の前記冊子基材には他方の対向する両端部に跨る分離線がそれぞれ対向して設けられ、前記綴じ部のうち、一方の綴じ部側の前記冊子基材の一方の端部から前記分離線までの長さより短い冊子片が複数枚重ねられ、前記冊子基材の一方の端部で揃えて綴じた冊子が設けられると共に、前記綴じ部のうち、他方の綴じ部側の前記冊子基材の他方の端部から前記分離線までの長さより短い冊子片が複数枚重ねられ、前記冊子基材の他方の端部で揃えて綴じた冊子が設けられている構成とすることにより、２枚の冊子基材に対向して設けられた分離線で形成される空間には、冊子片がない隙間が存在することとなり、冊子を破損することなく冊子基材の分離線で容易に開封できると共に、２冊の冊子が得られる。また、封着部がない構成であり、開封に際し、捨てる部分がなくゴミが発生しない。さらに、捨てる部分がないので情報掲載スペースが広くなり提供できる情報量が増える。
【０００９】
また、本発明は、前記分離線が前記冊子基材のいずれかの端部側に寄せた位置に形成され、幅広となった側には綴じ部より前記分離線側に前記綴じ部に沿って前記２枚の冊子基材および複数枚の前記冊子片を貫通するミシン目線が設けられている構成とすることにより、冊子基材および冊子片をミシン目線で容易に折り返すことができ各頁毎に見開き状態が保持されるので閲覧し易いものとなる。
【図面の簡単な説明】
【００１０】
【図１】本発明に係る送付物の一実施形態を示す正面図である。
【図２】図１のＸ−Ｘ線断面図である。
【図３】本発明に係る送付物の開封状態を説明する斜視図である。
【図４】従来の冊子入り封書を示し、（イ）は平面図、（ロ）は（イ）のＹ−Ｙ線断面図である。
【発明を実施するための形態】
【００１１】
上記の本発明について、図面等を用いて以下に詳述する。
図１は本発明に係る送付物の一実施形態を示す正面図、図２は図１のＸ−Ｘ線断面図、図３は本発明に係る送付物の開封状態を説明する斜視図、図４は従来の冊子入り封書を示し、（イ）は平面図、（ロ）は（イ）のＹ−Ｙ線断面図であり、図中の１は送付物、１’は従来の冊子入り封書、２Ａ、２Ｂは冊子基材、２Ａ’、２Ｂ’は分離された冊子基材、３、３’は複数枚の冊子片、３ａ、３ｂ、３ｃ、３ｄ、３ｅ、３ｆ、３ｇ、３ｈは冊子片、４Ｌ、４Ｒは綴じ部、５Ａ、５Ｂは分離線、６は第１冊子、７は第２冊子、８は見出し部、９はミシン目線、２０は個人情報記載部、２１は表題、２２は優待情報、４０、４１は接着部、５０は封着部、６０は綴じ部をそれぞれ示す。
【００１２】
図１は本発明に係る送付物の一実施形態を示す正面図であって、宛名エリア側から見た図である。送付物１は冊子基材２Ａの一方の対向する両端部に綴じ部４Ｌ、４Ｒを備えるとともに、２枚の矩形状の略同じ大きさの冊子基材２Ａ、２Ｂ（図２参照）には他方の対向する両端部に跨る分離線５Ａ、５Ｂ（図２参照）がそれぞれ対向して設けられている。冊子基材２Ａの外面には宛名エリアが設けられ受取人となる顧客の住所、氏名等の個人情報を記載する個人情報記載部２０となっており、また、「先行ご招待会」なる表題２１やキャンペーン情報等が表示されている。さらに分離線５Ａと綴じ部４Ｒの間には優待情報２２が表示されている。
【００１３】
冊子基材２Ａの外面に設けられた個人情報記載部２０には、直接、個人情報がプリントされるか、あるいは予め個人情報がプリントされたラベルが貼付される。また、２枚の冊子基材２Ａ、２Ｂ設けられた分離線５Ａ、５Ｂは、切り取って送付物１を開封すると共に、２つの冊子に分離して、それぞれの冊子に掲載された種々の情報が閲覧できるものとするためのものであり、冊子基材２Ａ、２Ｂを貫通するミシン目が好ましい。
【００１４】
図２は図１のＸ−Ｘ線断面図であって、送付物１は、図２に示すように矩形状の冊子基材２Ａ、２Ｂの一方の対向する両端部に綴じ部４Ｌ、４Ｒを備えるとともに、２枚の冊子基材２Ａ、２Ｂには他方の対向する両端部に跨る分離線５Ａ、５Ｂがそれぞれ対向して設けられている。一方の綴じ部４Ｌ側の冊子基材２Ａ、２Ｂの端部から分離線５Ａ、５Ｂまでの長さより短い長さの冊子片３ａ，３ｂ，３ｃ，３ｄ，３ｅからなる複数枚の冊子片３が重ねられ、冊子基材２Ａ，２Ｂの端部で揃えて接着部４０を介して綴じ部４Ｌで綴じられた第１冊子６が設けられている。他方の綴じ部４Ｒ側の冊子基材２Ａ，２Ｂの端部から分離線５Ａ，５Ｂまでの長さより短い冊子片３ｆ，３ｇ，３ｈからなる複数枚の冊子片３’が重ねられ、冊子基材２Ａ，２Ｂの端部で揃えて接着部４１を介して綴じ部４Ｒで綴じられた第２冊子７が設けられている。
【００１５】
第１冊子６、第２冊子７は、分離線５Ａ，５Ｂで冊子基材２Ａ，２Ｂを切り取り分離されることにより２冊の冊子になるものであり、第１冊子６は分離された冊子基材２Ａ’、２Ｂ’（図３参照）の間に冊子片３ａ，３ｂ，３ｃ，３ｄ，３ｅからなる複数枚の冊子片３が重ねられた構成であり、第２冊子７は分離された冊子基材２Ａ’、２Ｂ’の間に冊子片３ｆ，３ｇ，３ｈからなる複数枚の冊子片３’が重ねられた構成である。分離線５Ａ，５Ｂは冊子基材２Ａ，２Ｂの中央より綴じ部４Ｒ側に寄せた位置に形成されており第１冊子６の方が第２冊子７より寸法が大きい幅広の冊子となっている。分離線５Ａ，５Ｂを設ける位置は冊子の大きさにより任意に設計できるものであるが、本願発明において、分離線５Ａ，５Ｂは対向する位置に設けること、分離線５Ａ，５Ｂで形成される平面の綴じ部４Ｌ側及び４Ｒ側には少し隙間ができる空間が形成されるように冊子片３ａ，３ｂ，３ｃ，３ｄ，３ｅ，３ｆ，３ｇ，３ｈの対向する綴じ部４Ｌ、４Ｒ間方向の長さを短くすることが重要なポイントである。また、冊子片３ａ，３ｂ，３ｃ，３ｄ，３ｅは綴じ部４Ｌ，４Ｒ間方向の長さが順次少しずつ長くなるようにしてあり、綴じ部４Ｒ側の端部の長くなった部分を見出し部８とされ、冊子片３ｆ，３ｇ，３ｈは綴じ部４Ｌ，４Ｒ間方向の長さが順次少しずつ短くなるようにしてあり、綴じ部４Ｌ側の端部の冊子片のずれた部分が見出し部８とされている。
【００１６】
また、分離線５Ａ，５Ｂが形成され、幅広となった側の第１冊子６には、綴じ部４Ｌより分離線５Ａ，５Ｂ側に綴じ部４Ｌに沿って２枚の冊子基材２Ａ，２Ｂおよび複数枚の冊子片３（３ａ，３ｂ，３ｃ，３ｄ，３ｅ）にミシン目線９が貫通して設けられている。ミシン目線９は設ける方がミシン目線９で冊子基材や冊子片を折返して見開き状態を保持できるので冊子の閲覧が容易となるので好ましい。またミシン目線は第２冊子７に形成することもできる。なお、綴じ部４Ｌの接着部４０および綴じ部４Ｒの接着部４１は図２に示すように隣接する冊子片間で連続して同じ位置になることを避け、交互に接着部４０または接着部４１の位置をずらし断面視千鳥状に形成する方が冊子基材と冊子片ないし冊子片間の接着が良好となるので好ましい形態である。
【００１７】
次に、図１〜図３を参照しながら本発明の送付物１の使用方法を説明する。
配送元（送り手）は、顧客に送る第１冊子６及び第２冊子７が図２に示すように一体化され封緘された送付物１の冊子基材２Ａの外面に設けられた宛名エリアである個人情報記載部２０に顧客の住所氏名を直接プリントするか、あるいは予めプリントされたラベルを貼付する。そして、図１、図２に示すように送付物１は、封緘した状態で顧客へメール便、宅配便で配達される、あるいは郵送される。
【００１８】
顧客は、送付物１を分離線５Ａ，５Ｂで切り取り開封すると共に第１冊子６と第２冊子７に分離する。対向する分離線５Ａ，５Ｂで形成される平面の両側には隙間できた空間が形成され、その空間には冊子片がないので容易に開封できると共に複数枚の冊子片３、３’を誤って破ることがない。図３（イ）は第１冊子６の表側、すなわち冊子基材２Ａ’側から見開いた状態を示し、開封された第１冊子６は、ミシン目線９で分離された冊子基材２Ａ’ないし複数枚の冊子片３を折返し見開き状態にして掲載された内容（図示しない）を閲覧することができ、各冊子片には見出し部８が設けられているので必要なページの検索が容易である。図３（ロ）は第２冊子の裏側、すなわち冊子基材２Ｂ’側から見開いた状態を示し、開封された第２冊子７には種々のクーポン券やサービス券等の綴りが綴じられており、さらに冊子片には見出し部８が設けられているので必要なサービス券の検索が容易であり、必要な券の切り取りが可能な構成となっている。第２冊子７はクーポン券、サービス券を設けた例を示したが、第２冊子７にも広告を掲載してもよい。このように分離線５Ａ，５Ｂで切取る構成としたので捨てられていた従来の封着部をなくしたのでスペースの有効活用が図れると共に、２冊の冊子とできるので多くの情報の掲載が可能となり、顧客により多くの情報を提供できる。また、第１冊子６及び第２冊子７は個別で保管することができる。
【００１９】
本発明の送付物１の冊子基材２Ａ，２Ｂ、複数枚の冊子片３に使用される基材としては、上質紙，中質紙，下級紙，色上質紙等の非塗工紙、アート紙，コート紙，軽量コート紙等の塗工紙、エンボス紙，キャストコート紙，クラフト紙等から、冊子の内容により適宜選択する。
冊子基材２Ａ，２Ｂの基材は複数枚の冊子片３の基材より坪量が大きくなるように選択するのが好ましい。冊子基材２Ａ，２Ｂの坪量としては７０ｋｇ／四六判（８１．４ｇ／ｍ2 ）、９０ｋｇ／四六判（１０４．７ｇ／ｍ2 ）が好ましく使用される。
綴じ部を構成する接着部４０、４１に使用する接着剤は、例えば、アクリル系樹脂，酢酸ビニル系樹脂，ポリエステル系樹脂，ウレタン系樹脂，ポリアミド系樹脂，ゴム系樹脂，ポリオレフィン系樹脂等の、公知の接着剤の中から選択して使用する。
【００２０】
本発明の送付物１の製造方法は、図示はしないが、送付物１を構成する矩形状の冊子基材２Ａ，２Ｂ、矩形状の複数枚の冊子片３には、通常それぞれの両面に送り手が顧客に伝えたい商品情報、キャンペーン情報、あるいは、クーポン券、サービス券等の種々の固定情報が予め印刷等により設けられている。これらの印刷は、通常、個々の冊子基材、個々の冊子片毎に行われる。そして、これらの個々の冊子基材は、印刷等の製造時においては、図１の上下方向にそれぞれ連続したシートで、かつ、左右方向の両端縁には、移送孔を有するマージナル部が設けられている。個々の冊子片は、印刷等の製造時においては、図１の上下方向にそれぞれ連続したシートで、かつ、図３の左右方向の一方の端縁には、移送孔を有するマージナル部が設けられ、この移送孔でシートが連続的に送られるようになっており、印刷後に図２に示すように配置され、この移送孔がプリンターやコレーター（丁合機）のトラクタピンと係合し、前記矩形状の冊子基材２Ａ，２Ｂと冊子片３ａ、３ｂ、３ｃ、３ｄ、３ｅとがそれぞれ正確に位置合せがされ、一方の端縁で揃えられ接着部４０で接着されて綴じ部４Ｌで綴じられる。他方の端縁では、前記矩形状の冊子基材２Ａ，２Ｂと冊子片３ｆ、３ｇ、３ｈとがそれぞれ正確に位置合せされ他方の端縁で揃えられ接着部４１で接着されて綴じ部４Ｒで綴じられる。その後にマージナル部が取り除かれると共に天地方向が所定寸法に裁断されて図１に示すような送付物１を得ることができる。なお、図１に示すように先にマージナル部を取り除き、さらに天地方向に裁断し枚葉の送付物とした後に、宛名エリアにプリントしたり、プリントされたラベルを宛名エリアに貼付してもよい。
【符号の説明】
【００２１】
１                                                    送付物
１’                                                  従来の冊子入り封書
２Ａ、２Ｂ                                            冊子基材
２Ａ’、２Ｂ’                                        分離された冊子基材
３、３’                                              複数枚の冊子片
３ａ、３ｂ、３ｃ、３ｄ、３ｅ、３ｆ、３ｇ、３ｈ        冊子片
４Ｌ、４Ｒ                                            綴じ部
５Ａ、５Ｂ                                            分離線
６                                                    第１冊子
７                                                    第２冊子
８                                                    見出し部
９                                                    ミシン目線
２０                                                  個人情報記載部
２１                                                  表題
２２                                                  優待情報
４０、４１                                            接着部
５０                                                  封着部
６０                                                  綴じ部
【図１】
0005838667.tif 000002
【図２】
0005838667.tif 000003
【図３】
0005838667.tif 000004
【図４】
0005838667.tif 000005